(57)【要約】      （修正有）【課題】極めて商品価値の高い画期的な頭部着用具及び頭部着用具に付設する鍔体を提供する。【解決手段】ヘルメットや帽子などの頭部着用具であって、頭部に被嵌状態となる被り体１と、この被り体１の全周縁部に内縁部が脱着自在に連結される連結孔２を有し且つ所定の奥行きを有する鍔体３とからなり、前記被り体１は周方向に等間隔の位置で連結手段Ｘを介して脱着自在に分割する分割構造体であり、前記鍔体３は周方向に等間隔の位置で連結手段Ｙを介して脱着自在に分割する分割構造体であり、前記被り体１を構成する分割被り体１Ａ夫々の周縁部の周方向巾と、前記鍔体３を構成する分割鍔体３Ａ夫々の内縁部の周方向巾とを同巾に設定し且つ前記各分割被り体１Ａと前記各分割鍔体３Ａ同士を互いに連結手段Ｚを介して脱着自在に連結するように構成したものである。【選択図】図２
0003140282.tif 000002
【実用新案登録請求の範囲】
【請求項１】
ヘルメットや帽子などの頭部着用具であって、頭部に被嵌状態となる被り体と、この被り体の全周縁部に内縁部が脱着自在に連結される連結孔を有し且つ所定の奥行きを有する鍔体とからなり、前記被り体は周方向に等間隔の位置で連結手段を介して脱着自在に分割する分割構造体であり、前記鍔体は周方向に等間隔の位置で連結手段を介して脱着自在に分割する分割構造体であり、前記被り体を構成する分割被り体夫々の周縁部の周方向巾と、前記鍔体を構成する分割鍔体夫々の内縁部の周方向巾とを同巾に設定し且つ前記各分割被り体と前記各分割鍔体同士を互いに連結手段を介して脱着自在に連結するように構成したことを特徴とする頭部着用具。
【請求項２】
前記分割被り体夫々の周縁部に雄係止部若しくは雌係止部を設け、この雄係止部若しくは雌係止部に係合連結する雌係止部若しくは雄係止部を前記分割鍔体夫々の内縁部に設けて、前記連結手段を面ファスナー構造としたことを特徴とする請求項１記載の頭部着用具。
【請求項３】
前記分割被り体の左右いずれか一方の側縁部に雄係止部を設け、この雄係止部に係合連結する雌係止部を他方の側縁部に設けて、前記連結手段を面ファスナー構造としたことを特徴とする請求項１，２のいずれか１項に記載の頭部着用具。
【請求項４】
前記分割鍔体の左右いずれか一方の側縁部に雄係止部を設け、この雄係止部に係合連結する雌係止部を他方の側縁部に設けて、前記連結手段を面ファスナー構造としたことを特徴とする請求項１〜３のいずれか１項に記載の頭部着用具。
【請求項５】
前記被覆体及び鍔体は、合成樹脂製若しくは金属製であることを特徴とする１〜４のいずれか１項に記載の頭部着用具。
【請求項６】
前記鍔体の連結孔を公知のヘルメットに被嵌した際、前記ヘルメットに連結手段を介して脱着自在に連結されるように前記鍔体は構成されていることを特徴とする請求項１〜５のいずれか１項に記載の頭部着用具。
【請求項７】
前記鍔体の内縁部に設けた前記雌係止部若しくは雄係止部に係合連結する雄係止部若しくは雌係止部を前記ヘルメットの周縁部に設けて、前記連結手段を面ファスナー構造としたことを特徴とする請求項６記載の頭部着用具。
【請求項８】
ヘルメットや帽子などの公知の頭部着用具に付設する鍔体であって、前記鍔体は周方向に等間隔の位置で連結手段を介して脱着自在に分割する環状の分割構造体であり、前記鍔体は前記頭部着用具に被嵌する連結孔を有し、この鍔体の連結孔を前記頭部着用具に被嵌した際、前記頭部着用具に連結手段を介して脱着自在に連結されるように前記鍔体は構成されていることを特徴とする頭部着用具に付設する鍔体。
【請求項９】
前記鍔体の内縁部に設けた前記雌係止部若しくは雄係止部に係合連結する雄係止部若しくは雌係止部を前記頭部着用具の周縁部に設けて、前記連結手段を面ファスナー構造としたことを特徴とする請求項８記載の頭部着用具に付設する鍔体。
【考案の詳細な説明】
【技術分野】
【０００１】
本考案は、ヘルメットや帽子などの頭部着用具及び頭部着用具に付設する鍔体に関するものである。
【背景技術】
【０００２】
従来から、ヘルメットや帽子などの頭部着用具として、例えば実用新案登録第３００６７２１号に開示される帽子（以下、従来例）が提案されている。
【０００３】
この従来例は、頭部（被り体）とひさし（鍔体）とを分離又は結合可能な構造としたものであり、この頭部とひさしとを適宜取り替えるなどして幾種類もの用途の帽子に使い分けすることができるものである。
【０００４】
【特許文献１】実用新案登録第３００６７２１号公報
【考案の開示】
【考案が解決しようとする課題】
【０００５】
本考案者は、前述した分割タイプの頭部着用具について更なる研究開発を進め、その結果、従来にない作用効果を発揮する実用性に秀れた頭部着用具及び頭部着用具に付設する鍔体を考案した。
【課題を解決するための手段】
【０００６】
添付図面を参照して本考案の要旨を説明する。
【０００７】
ヘルメットや帽子などの頭部着用具であって、頭部に被嵌状態となる被り体１と、この被り体１の全周縁部に内縁部が脱着自在に連結される連結孔２を有し且つ所定の奥行きを有する鍔体３とからなり、前記被り体１は周方向に等間隔の位置で連結手段Ｘを介して脱着自在に分割する分割構造体であり、前記鍔体３は周方向に等間隔の位置で連結手段Ｙを介して脱着自在に分割する分割構造体であり、前記被り体１を構成する分割被り体１Ａ夫々の周縁部の周方向巾と、前記鍔体３を構成する分割鍔体３Ａ夫々の内縁部の周方向巾とを同巾に設定し且つ前記各分割被り体１Ａと前記各分割鍔体３Ａ同士を互いに連結手段Ｚを介して脱着自在に連結するように構成したことを特徴とする頭部着用具に係るものである。
【０００８】
また、前記分割被り体１Ａ夫々の周縁部に雄係止部５若しくは雌係止部を設け、この雄係止部５若しくは雌係止部に係合連結する雌係止部６若しくは雄係止部を前記分割鍔体３Ａ夫々の内縁部に設けて、前記連結手段Ｚを面ファスナー構造としたことを特徴とする請求項１記載の頭部着用具に係るものである。
【０００９】
また、前記分割被り体１Ａの左右いずれか一方の側縁部に雄係止部７を設け、この雄係止部７に係合連結する雌係止部８を他方の側縁部に設けて、前記連結手段Ｘを面ファスナー構造としたことを特徴とする請求項１，２のいずれか１項に記載の頭部着用具に係るものである。
【００１０】
また、前記分割鍔体３Ａの左右いずれか一方の側縁部に雄係止部９を設け、この雄係止部９に係合連結する雌係止部10を他方の側縁部に設けて、前記連結手段Ｙを面ファスナー構造としたことを特徴とする請求項１〜３のいずれか１項に記載の頭部着用具に係るものである。
【００１１】
また、前記被覆体１及び鍔体３は、合成樹脂製若しくは金属製であることを特徴とする１〜４のいずれか１項に記載の頭部着用具に係るものである。
【００１２】
また、前記鍔体３の連結孔２を公知のヘルメットＨに被嵌した際、前記ヘルメットＨに連結手段Ｗを介して脱着自在に連結されるように前記鍔体３は構成されていることを特徴とする請求項１〜５のいずれか１項に記載の頭部着用具に係るものである。
【００１３】
また、前記鍔体３の内縁部に設けた前記雌係止部６若しくは雄係止部に係合連結する雄係止部11若しくは雌係止部を前記ヘルメットＨの周縁部に設けて、前記連結手段Ｗを面ファスナー構造としたことを特徴とする請求項６記載の頭部着用具に係るものである。
【００１４】
また、ヘルメットや帽子などの公知の頭部着用具Ｈに付設する鍔体３であって、前記鍔体３は周方向に等間隔の位置で連結手段Ｙを介して脱着自在に分割する環状の分割構造体であり、前記鍔体３は前記頭部着用具Ｈに被嵌する連結孔２を有し、この鍔体３の連結孔２を前記頭部着用具Ｈに被嵌した際、前記頭部着用具Ｈに連結手段Ｗを介して脱着自在に連結されるように前記鍔体３は構成されていることを特徴とする頭部着用具に付設する鍔体に係るものである。
【００１５】
また、前記鍔体３の内縁部に設けた前記雌係止部６若しくは雄係止部に係合連結する雄係止部11若しくは雌係止部を前記頭部着用具Ｈの周縁部に設けて、前記連結手段Ｗを面ファスナー構造としたことを特徴とする請求項８記載の頭部着用具に付設する鍔体に係るものである。
【考案の効果】
【００１６】
本考案は上述のように構成したから、種々の使い方が可能となり便利であるのは勿論、被り体及び鍔体を分割してコンパクトにすることができ、しかも、分割した状態のものを組み立てる作業が簡易且つ迅速に行えることになるなど極めて商品価値の高い画期的な頭部着用具となる。
【００１７】
また、請求項２〜４記載の考案においては、分割作業及び分割した状態のものの組み立てる作業が極めて良好に行えることになるなど極めて商品価値の高い画期的な頭部着用具となる。
【００１８】
また、請求項５記載の考案においては、良好な分割作業及び分割した状態のものの組み立てる作業を確実に実現し得るなど極めて商品価値の高い画期的な頭部着用具となる。
【００１９】
また、請求項６記載の考案においては、公知のヘルメットＨを高機能なものにし得るなど極めて商品価値の高い画期的な頭部着用具となる。
【００２０】
また、請求項７記載の考案においては、分割作業及び分割した状態のものの組み立てる作業が極めて良好に行えることになるなど極めて商品価値の高い画期的な頭部着用具となる。
【００２１】
また、請求項８記載の考案においては、例えば公知のヘルメットＨを高機能なものにし得るなど極めて商品価値の高い画期的な頭部着用具に付設する鍔体となる。
【００２２】
また、請求項９記載の考案においては、良好な分割作業及び分割した状態のものの組み立てる作業を確実に実現し得るなど極めて商品価値の高い画期的な頭部着用具に付設する鍔体となる。
【考案を実施するための最良の形態】
【００２３】
好適と考える本考案の実施形態を、図面に基づいて本考案の作用を示して簡単に説明する。
【００２４】
本考案に係る頭部着用具を構成する被り体１と鍔体３とは分割し、また、被り体１及び鍔体３夫々も分割する。
【００２５】
従って、この被り体１と鍔体３を適宜付け替えすることで種々の用途に使い分けすることができ、しかも、従来から提案される帽子のようにコンパクトにすべく折り畳んだ際にシワが生じるようなことはなく、良好にコンパクトにすることができる。
【００２６】
また、本考案は、被り体１は周方向に等間隔の位置で連結手段Ｘを介して脱着自在に分割する分割構造体であり、鍔体３は周方向に等間隔の位置で連結手段Ｙを介して脱着自在に分割する分割構造体であり、被り体１を構成する分割被り体１Ａ夫々の周縁部の巾と、鍔体３を構成する分割鍔体３Ａ夫々の内縁部の巾とを同巾に設定し且つ互いに連結手段Ｚを介して脱着自在に連結するように構成しており、この構成から分割した後における元の状態（使用状態）に戻す作業が良好となる。
【００２７】
具体的には、仮に被り体１を構成する分割被り体１Ａ夫々の周縁部の巾と、鍔体３を構成する分割鍔体３Ａ夫々の内縁部の巾とが別々の巾で、分割した全てのパーツ（分割被り体１Ａ及び分割鍔体３Ａ）が必ず決まったもの同士を連結しなければならないという構造であった場合、この決まりに従い各パーツを一つ一つ確認しながら連結しなければならず、これは非常に厄介である。
【００２８】
この点、本考案は、前述した構成から、どのパーツ同士も連結できる構造（連結できるもの同士が決まっていない構造）の為、簡易且つ確実に元の状態（使用状態）に戻すことができる。
【００２９】
また、本考案は、前述した構成から、分割したパーツ（分割被り体１Ａ及び分割鍔体３Ａ）同士を体裁良く積み重ね状態とすることができる。
【００３０】
また、分割被り体１Ａ夫々の周縁部に雄係止部５若しくは雌係止部を設け、この雄係止部５若しくは雌係止部に係合連結する雌係止部６若しくは雄係止部を分割鍔体３Ａ夫々の内縁部に設けて、前記連結手段Ｚを面ファスナー構造とした場合には、単なる係合連結を採用した連結構造である為、脱着が簡易且つ確実に行え、しかも、どのパーツ同士でも連結できる構造を実現することができ、そして更に、この連結手段Ｚは、使用者が動いたり強風などの力がかかっても分解せず、例えば土木作業時に使用している際に万一、重機に引っ掛かって引っ張られるような場面が生じたとしても、ある一定以上の力が加わった際には分解する構造のため安全であり、鍔体３の奥行き巾を長くすることができることになる。
【００３１】
また、分割被り体１Ａの左右いずれか一方の側縁部に雄係止部７を設け、この雄係止部７に係合連結する雌係止部８を他方の側縁部に設けて、連結手段Ｘを面ファスナー構造とした場合には、単なる係合連結を採用した連結構造である為、脱着が簡易且つ確実に行え、しかも、どのパーツ同士でも連結できる構造を実現することができ、そして更に、この連結手段Ｘは、使用者が動いたり強風などの力がかかっても分解せず、例えば土木作業時に使用している際に万一、重機に引っ掛かって引っ張られるような場面が生じたとしても、ある一定以上の力が加わった際には分解する構造のため安全であり、鍔体３の奥行き巾を長くすることができることになる。
【００３２】
また、分割鍔体３Ａの左右いずれか一方の側縁部に雄係止部９を設け、この雄係止部９に係合連結する雌係止部10を他方の側縁部に設けて、連結手段Ｙを面ファスナー構造とした場合には、単なる係合連結を採用した連結構造である為、脱着が簡易且つ確実に行え、しかも、どのパーツ同士でも連結できる構造を実現することができ、そして更に、この連結手段Ｙは、使用者が動いたり強風などの力がかかっても分解せず、例えば土木作業時に使用している際に万一、重機に引っ掛かって引っ張られるような場面が生じたとしても、ある一定以上の力が加わった際には分解する構造のため安全であり、鍔体３の奥行き巾を長くすることができることになる。
【００３３】
また、被覆体１及び鍔体３は、合成樹脂製若しくは金属製であることとした場合、保形性を有する素材である為、分割された構成のものであっても確実にその機能を発揮することになる。
【００３４】
また、鍔体３の連結孔２を公知のヘルメットＨに被嵌した際、ヘルメットＨに連結手段Ｗを介して脱着自在に連結されるように鍔体３は構成されている場合には、既存のヘルメット（例えば鍔の無い若しくはほとんど無い作業用ヘルメット）に日陰を作出し得る鍔を簡易且つ確実に付与することができ、しかも、頭部着用具Ｈに対して鍔体３は分離する構造である為、例えば作業用ヘルメットに幅の広い鍔を装着した場合に起こり得る万一の危険（鍔体３に重機が引っ掛かることで作業者が引きずられるなど）を防止し得ることになる。
【００３５】
また、鍔体３の内縁部に設けた雌係止部６若しくは雄係止部に係合連結する雄係止部11若しくは雌係止部を頭部着用具Ｈの周縁部に設けて、連結手段Ｗを面ファスナー構造とした場合には、単なる係合連結を採用した連結構造である為、脱着が簡易且つ確実に行え、しかも、この連結手段Ｗは、使用者が動いたり強風などの力がかかっても分解せず、例えば土木作業時に使用している際に万一、重機に引っ掛かって引っ張られるような場面が生じたとしても、ある一定以上の力が加わった際には分解する構造のため安全であり、鍔体３の奥行き巾を長くすることができることになる。
【実施例】
【００３６】
本考案の具体的な一実施例について図面に基づいて説明する。
【００３７】
ヘルメットや帽子などの頭部着用具Ｈであって、頭部に被嵌状態となる被り体１と、この被り体１の全周縁部に内縁部が脱着自在に連結される連結孔２を有する鍔体３とからなるものである。
【００３８】
以下、本実施例に係る構成各部について詳細な説明をする。
【００３９】
被り体１は、図１，２に図示したように適宜な合成樹脂製の部材で形成した半球状のものであり、周方向に等間隔の位置で連結手段Ｘを介して脱着自在に四分割する分割構造体である。尚、被り体１としては金属製でも生地製（麦藁帽子風）でも良いなど本実施例の特性を発揮する構成であれば適宜採用し得るものである。
【００４０】
この被り体１を構成する分割被り体１Ａ夫々は、互いに連結手段Ｘとして図３に図示した雄係止部（フック）と雌係止部（ループ）とから成る所謂面ファスナーＭを介して着脱自在に連結される。
【００４１】
具体的には、図２に図示したように分割被り体１Ａ夫々の正面視左側縁部に雄係止部７を突出状態に設け、この雄係止部７に係合連結する雌係止部８を正面視右側縁部の内面に設けて前記連結手段Ｘを構成している。
【００４２】
従って、どの組み合わせにおいても確実に隣接する分割被り体１Ａ同士は連結できて被り体１を構成することができる。
【００４３】
この分割被り体１Ａ夫々の周縁部の巾は、後述する鍔体３を構成する分割鍔体３Ａ夫々の内縁部の巾と同巾に設定されている。
【００４４】
鍔体３は、図１，２に図示したように適宜な合成樹脂製の部材で形成した平板環状のものであり、全周にわたって等間隔の奥行きを有し、周方向に等間隔の位置で連結手段Ｙを介して脱着自在に四分割する分割構造体である。尚、鍔体３としては金属製でも生地製（麦藁帽子風）でも良いなど本実施例の特性を発揮する構成であれば適宜採用し得るものである。
【００４５】
この鍔体３を構成する分割鍔体１Ａ夫々は、互いに連結手段Ｙとして図３に図示した雄係止部（フック）と雌係止部（ループ）とから成る所謂面ファスナーＭを介して着脱自在に連結される。
【００４６】
具体的には、図２に図示したように分割鍔体３Ａの平面視左側縁部に雄係止部９を突出状態に設け、この雄係止部９に係合連結する雌係止部10を平面視右側縁部の内面に設けて前記連結手段Ｙを構成している。
【００４７】
従って、どの組み合わせにおいても確実に隣接する分割鍔体３Ａ同士は連結できて環状の鍔体３を構成することができる。
【００４８】
また、この鍔体３の中央に形成される孔は、前述した被り体１に被嵌可能な大きさに設定されており、被り体１に被嵌した際、その内縁部は被り体１の全周縁部に当接状態若しくは近接状態状態となるように構成されている。
【００４９】
以上の構成からなる被り体１を構成する各分割被り体１Ａと、鍔体３を構成する各分割鍔体３Ａ同士は、互いに連結手段Ｚとして図３に図示した雄係止部（フック）と雌係止部（ループ）とから成る所謂面ファスナーＭを介して着脱自在に連結される。
【００５０】
具体的には、図２に図示したように分割被り体１Ａ夫々の周縁部の内面に雄係止部５を設け、この雄係止部５に係合連結する雌係止部６を分割鍔体３Ａ夫々の内縁部に突出状態に設けて前記連結手段Ｚを構成している。
【００５１】
従って、分割被り体１Ａ夫々の周縁部の巾と鍔体３を構成する分割鍔体３Ａ夫々の内縁部の巾とを同巾に設定したことに伴い、連結手段Ｚを介することでどの組み合わせにおいても確実に隣接する分割被り体１Ａと分割鍔体３Ａとを連結できて頭部着用体Ｈを構成することができる。
【００５２】
図７，８，９は、被り体１を構成する分割被り体１Ａ夫々を連結する連結手段Ｘ、鍔体３を構成する分割鍔体１Ａ夫々を連結する連結手段Ｙ及び各分割被り体１Ａと各分割鍔体３Ａ同士を連結する連結手段Ｚとして、前述した雄係止部（フック）と雌係止部（ループ）とから成る所謂面ファスナーＭを別の取り付け方をした場合である。
【００５３】
具体的には、分割被り体１Ａ夫々の正面視左側端縁に雄係止部７を突出状態に設け、この雄係止部７に突き合わせて係合連結する雌係止部８を正面視右側端縁に設けて前記連結手段Ｘを構成している。
【００５４】
また、分割鍔体３Ａの平面視左側端縁に雄係止部９を突出状態に設け、この雄係止部９に突き合わせて係合連結する雌係止部10を平面視右側端縁に設けて前記連結手段Ｙを構成している。
【００５５】
また、分割被り体１Ａ夫々の周端縁に雄係止部５を設け、この雄係止部５に突き合わせて係合連結する雌係止部６を分割鍔体３Ａ夫々の内縁部上面に設けて前記連結手段Ｚを構成している。
【００５６】
また、本実施例では、鍔体３を頭部着用体Ｈとしての公知のヘルメットＨに着脱自在に設けている。
【００５７】
具体的には、鍔体３は、図10〜13に図示したように連結孔２をヘルメットＨに被嵌した際、ヘルメットＨに連結手段Ｗとして図３に図示した雄係止部（フック）と雌係止部（ループ）とから成る所謂面ファスナーＭを介して着脱自在に連結される。
【００５８】
図13に図示したように鍔体３の内縁部に突出状態に設けた雌係止部６に係合連結する雄係止部11をヘルメットＨの周縁部の内面に設けて前記連結手段Ｗを構成している。
【００５９】
従って、鍔体３は連結手段Ｗを介してヘルメットＨに脱着自在に連結し得ることになる。
【００６０】
本実施例は上述のように構成したから、頭部着用具を構成する被り体１と鍔体３とは分割し、また、被り体１及び鍔体３夫々も分割する。
【００６１】
従って、この被り体１と鍔体３を適宜付け替えすることで種々の用途に使い分けすることができ、しかも、従来から提案される帽子のようにコンパクトにすべく折り畳んだ際にシワが生じるようなことはなく、良好にコンパクト且つ体裁の良い良好な積み重ね状態が得られることになる。ひいては、非常に目立ってアピール度の高い大きな頭部着用具Ｈ（例えば麦藁帽子やハット）が得られることになる。
【００６２】
また、本実施例は、前述した構成から、どのパーツ同士も連結できる構造（連結できるもの同士が決まっていない構造）の為、簡易且つ確実に元の状態（使用状態）に戻すことができる。
【００６３】
また、本実施例は、分割被り体１Ａ夫々の周縁部に雄係止部５を設け、この雄係止部５に係合連結する雌係止部６を分割鍔体３Ａ夫々の内縁部に設けて、連結手段Ｚを面ファスナー構造としたから、単なる係合連結を採用した連結構造である為、脱着が簡易且つ確実に行え、しかも、どのパーツ同士でも連結できる構造を実現することができる。
【００６４】
また、本実施例は、分割被り体１Ａの左側縁部に雄係止部７を設け、この雄係止部７に係合連結する雌係止部８を右側縁部に設けて、連結手段Ｘを面ファスナー構造としたから、単なる係合連結を採用した連結構造である為、脱着が簡易且つ確実に行え、しかも、どのパーツ同士でも連結できる構造を実現することができる。
【００６５】
また、本実施例は、分割鍔体３Ａの左側縁部に雄係止部９を設け、この雄係止部９に係合連結する雌係止部10を右側縁部に設けて、連結手段Ｙを面ファスナー構造としたから、単なる係合連結を採用した連結構造である為、脱着が簡易且つ確実に行え、しかも、どのパーツ同士でも連結できる構造を実現することができる。
【００６６】
また、本実施例は、被覆体１及び鍔体３は、合成樹脂製（若しくは金属製）であるから、保形性を有する素材である為、分割された構成のものであっても確実にその機能を発揮することになる。
【００６７】
また、本実施例は、鍔体３の連結孔２を公知のヘルメットＨに被嵌した際、ヘルメットＨに連結手段Ｗを介して脱着自在に連結されるように鍔体３は構成されているから、既存のヘルメット（例えば鍔の無い若しくはほとんど無い作業用ヘルメット）に日陰を作出し得る鍔を簡易且つ確実に付与することができ、しかも、ヘルメットＨに対して鍔体３は分離する構造である為、例えば作業用ヘルメットに幅の広い鍔を装着した場合に起こり得る万一の危険（鍔体３に重機が引っ掛かることで作業者が引きずられるなど）を防止し得ることになる。
【００６８】
また、本実施例は、鍔体３の内縁部に設けた雌係止部６に係合連結する雄係止部11をヘルメットＨの周縁部に設けて、連結手段Ｗを面ファスナー構造としたから、単なる係合連結を採用した連結構造である為、脱着が簡易且つ確実に行えることになる。
【００６９】
尚、本考案は、本実施例に限られるものではなく、各構成要件の具体的構成は適宜設計し得るものである。
【図面の簡単な説明】
【００７０】
【図１】本実施例を示す斜視図である。
【図２】本実施例を示す分解斜視図である。
【図３】本実施例に係る要部の説明断面図である。
【図４】本実施例に係る要部の動作説明図である。
【図５】本実施例に係る要部の動作説明図である。
【図６】本実施例の分割状態を示す斜視図である。
【図７】別実施例を示す分解斜視図である。
【図８】別実施例に係る要部の説明断面図である。
【図９】別実施例に係る要部の説明断面図である。
【図１０】別実施例を示す斜視図である。
【図１１】別実施例を示す分解斜視図である。
【図１２】別実施例を示す説明斜視図である。
【図１３】別実施例に係る要部の動作説明図である。
【符号の説明】
【００７１】
Ｈ  頭部着用具・ヘルメット
Ｘ  連結手段
Ｙ  連結手段
Ｚ  連結手段
Ｗ  連結手段
１  被り体
１Ａ  分割被り体
２  連結孔
３  鍔体
３Ａ  分割鍔体
５  雄係止部
６  雌係止部
７  雄係止部
８  雌係止部
９  雄係止部
10  雌係止部
【図１】
0003140282.tif 000003
【図２】
0003140282.tif 000004
【図３】
0003140282.tif 000005
【図４】
0003140282.tif 000006
【図５】
0003140282.tif 000007
【図６】
0003140282.tif 000008
【図７】
0003140282.tif 000009
【図８】
0003140282.tif 000010
【図９】
0003140282.tif 000011
【図１０】
0003140282.tif 000012
【図１１】
0003140282.tif 000013
【図１２】
0003140282.tif 000014
【図１３】
0003140282.tif 000015